(57)【要約】【課題】  締具本体の両側にフックを設けると共に、ベルトの長さ調節可能な側のベルトを二重にする場合においても、当該長さ調節可能な側のベルトに分岐ベルトを設けることを可能とする、ベルト締具を提供することを目的とする。【解決手段】  締具本体１に対して直接又は第一のベルト７ａを介して第一のフック８を取り付け、前記締具本体１により引き締められ且つ長さ調節可能の第二のベルト７ｂの先端にフック金具１２を設け、当該フック金具１２に第一ベルト取付部１３を設け、当該フック金具１２に第二のフック１１を取り付けてなるベルト締具において、前記フック金具１２に前記第一ベルト取付部１３と平行な第二ベルト取付部１４を設け、当該第二ベルト取付部１４に分岐ベルト１５の一端を取り付けるとともに、当該分岐ベルト１５の他端に前記第二のフック１１に引っ掛け可能のループ１６を形成する。【選択図】          図１
2019203562.tif 000002
【特許請求の範囲】
【請求項１】
締具本体（１）に対して直接又は第一のベルト（７ａ）を介して第一のフック（８）を取り付け、前記締具本体（１）により引き締められ且つ長さ調節可能の第二のベルト（７ｂ）の先端にフック金具（１２）を設け、当該フック金具（１２）に第一ベルト取付部（１３）を設け、当該フック金具（１２）に第二のフック（１１）を取り付けてなるベルト締具において、前記フック金具（１２）に前記第一ベルト取付部（１３）と平行な第二ベルト取付部（１４）を設け、当該第二ベルト取付部（１４）に分岐ベルト（１５）の一端を取り付けるとともに、当該分岐ベルト（１５）の他端に前記第二のフック（１１）に引っ掛け可能のループ（１６）を形成したことを特徴とする、ベルト締具
【請求項２】
前記分岐ベルト（１５）を前記フック金具（１２）に対して着脱可能としたことを特徴とする、請求項１に記載のベルト締具
【請求項３】
前記締具本体（１）が、前記第二のフック（１１）を取り付けた第二のベルト（７ｂ）を巻回した支軸（４）に、前記第一のフック（８）を連結した本体（２）及び操作レバー（３）を回動自在に取り付け、前記本体（２）に対して前記操作レバー（３）を往復回動せしめることにより、前記支軸（４）に固定されたラチェット（５）の作用により支軸（４）を回動せしめ、当該支軸（４）に巻回されていた第二のベルト（７ｂ）を支軸（４）に巻き締めることにより、両フック（８、１１）間でベルト（７）を引き締めるようにしたラチェット式の締具であることを特徴とする、請求項１又は２に記載のベルト締具
【請求項４】
前記締具本体（１）が、本体と操作レバーとを回動自在に軸支し、前記操作レバーには前記第一のフック（８）を取り付けた支持金具を回動自在に軸支し、また前記操作レバーには二本の軸を懸架し、前記操作レバーを本体に対して回動せしめることにより、第二のフック（１１）を取り付けた第二のベルト（７ｂ）を前記二本の軸に巻付けて、両フック（８、１１）間でベルト（７）を引き締めるようにした、ワンタッチ式の締具であることを特徴とする、請求項１又は２に記載のベルト締具
【請求項５】
前記第二のベルト（７ｂ）が、その一端が前記第一のフック（８）に取り付けられ、前記フック金具（１２）の第一ベルト取付部（１３）に巻き掛けられて折り返され、その他端が前記締具本体（１）により引き締められることを特徴とする、請求項１、２、３又は４に記載のベルト締具
【発明の詳細な説明】
【技術分野】
【０００１】
本発明は物品などを固定するための締具に関するものであって、特に船舶やトラックなどに搭載された自動車などの積荷を、動かないように固定するためのベルト締具に関するものである。
【背景技術】
【０００２】
上記ベルト締具としては各種のものが知られているが、ラチェット式のベルト締具としては例えば特開２０１０−１１２５３７号公報に示されたものが知られている。このものは一方のフックを取り付けたベルトを巻回した支軸に、他方のフックを連結した本体及び操作レバーを回動自在に取り付け、前記本体に対して前記操作レバーを往復回動せしめることにより、前記支軸に固定されたラチェットの作用により支軸を回動せしめ、当該支軸に巻回されていたベルトを支軸に巻き締めることにより、両フック間でベルトを引き締めるものである。
【０００３】
またワンタッチ式のベルト締具としては、例えば実開昭５２-２０４８７号公報に示されたものが知られている。このものは本体と操作レバーとを回動自在に軸支し、前記操作レバーには一方のフックを取り付けた支持金具を回動自在に軸支し、また前記操作レバーには二本の軸を懸架し、前記操作レバーを本体に対して回動せしめることにより、他方のフックを取り付けたベルトを前記二本の軸に巻付けて、両フック間でベルトを引き締めるものである。
【０００４】
またその他特開昭５７−２７６７３号公報、実開昭５７−１２８５３７号公報、実開昭５９−７８２５２号公報、実開昭６０−６９８０５号公報、実開昭６０−６９８０６号公報、特開２００６−３０７８７３号公報などに記載されたものも知られているが、いずれも実開昭５２-２０４８７号公報と同様に締具本体の二本の軸にベルトを掛け回して締め付け、ベルトを引き締めるものである。
【０００５】
ところでこれらのベルト締具においては、その両端にフックを有し、その間のベルトの長さを締具によって引き締めて調節するものであるから、船舶などに搭載された積荷にフックを引っ掛ける部材が設けられている場合には良いが、必ずしもこれらの部材が設けられているとは限らず、フックを引っ掛けることができない場合もあり、そのような場合にはこれらのベルト締具で積荷を固定することができない。
【０００６】
このような場合には、意匠登録１４８９７１９号公報や意匠登録１４９００５０号公報などに示されるように、その先端にフックを取り付けたベルトの途中に別の分岐ベルトを縫着し、当該分岐ベルトを前記積荷の適宜の箇所に巻回し、当該分岐ベルトの先端に形成されたループを前記フックに引っ掛けることにより、フックを直接引っ掛けることができない積荷に対しても前記ベルト締具を適用することができる。
【０００７】
一方この種のベルト締具においては、締具本体が直に積荷に当たって当該積荷を傷つけるようなことがあってはならず、締具本体に直接フックを取り付けた側又は、ベルト長さが固定されている側を荷台側に、ベルトの長さを調節可能な側を積荷側とし、締具本体をできるだけ積荷から遠ざけるように配置するのが一般的である。
【０００８】
しかしながら前記意匠登録１４９００５０号公報に示されたものにおいては、ベルトの耐荷重の関係でベルトの長さ調節可能な側のベルトを二重にする必要があり、このような構造では当該二重に配置したベルトに分岐ベルトを縫着することができないため、締具本体にベルトを介してフックを連結し、当該ベルトに分岐ベルトを縫着せざるを得ず、どうしても締具本体が積荷に近付き、このベルト締具の使用時に締具本体が積荷に当たり、積荷を傷付ける可能性があったのである。
【先行技術文献】
【特許文献】
【０００９】
【特許文献１】特開２０１０−１１２５３７号公報
【特許文献２】実開昭５２-２０４８７号公報
【特許文献３】特開昭５７−２７６７３号公報
【特許文献４】実開昭５７−１２８５３７号公報
【特許文献５】実開昭５９−７８２５２号公報
【特許文献６】実開昭６０−６９８０５号公報
【特許文献７】実開昭６０−６９８０６号公報
【特許文献８】特開２００６−３０７８７３号公報
【特許文献９】意匠登録１４８９７１９号公報
【特許文献１０】意匠登録１４９００５０号公報
【発明の概要】
【発明が解決しようとする課題】
【００１０】
本発明はかかる事情に鑑みなされたものであって、締具本体の両側にフックを設けると共に、ベルトの長さ調節可能な側のベルトを二重にする場合においても、当該長さ調節可能な側のベルトに分岐ベルトを設けることを可能とする、ベルト締具を提供することを目的とするものである。
【課題を解決するための手段】
【００１１】
而して本発明は、締具本体に対して直接又は第一のベルトを介して第一のフックを取り付け、前記締具本体により引き締められ且つ長さ調節可能の第二のベルトの先端にフック金具を設け、当該フック金具に第一ベルト取付部を設け、当該フック金具に第二のフックを取り付けてなるベルト締具において、前記フック金具に前記第一ベルト取付部と平行な第二ベルト取付部を設け、当該第二ベルト取付部に分岐ベルトの一端を取り付けるとともに、当該分岐ベルトの他端に前記第二のフックに引っ掛け可能のループを形成したことを特徴とするものである。
【００１２】
本発明においては、前記分岐ベルトを前記フック金具に対して着脱可能とすることが好ましい。
【００１３】
また本発明においては、前記締具本体が、前記第二のフックを取り付けた第二のベルトを巻回した支軸に、前記第一のフックを連結した本体及び操作レバーを回動自在に取り付け、前記本体に対して前記操作レバーを往復回動せしめることにより、前記支軸に固定されたラチェットの作用により支軸を回動せしめ、当該支軸に巻回されていた第二のベルトを支軸に巻き締めることにより、両フック間でベルトを引き締めるようにしたラチェット式の締具であることが好ましい。
【００１４】
また本発明においては、前記締具本体が、本体と操作レバーとを回動自在に軸支し、前記操作レバーには前記第一のフックを取り付けた支持金具を回動自在に軸支し、また前記操作レバーには二本の軸を懸架し、前記操作レバーを本体に対して回動せしめることにより、第二のフックを取り付けた第二のベルトを前記二本の軸に巻付けて、両フック間でベルトを引き締めるようにした、ワンタッチ式の締具であってもよい。
【００１５】
また本発明においては、前記第二のベルトが、その一端が前記第一のフックに取り付けられ、前記フック金具の第一ベルト取付部に巻き掛けられて折り返され、その他端が前記締具本体により引き締められるものであることが好ましい。
【図面の簡単な説明】
【００１６】
【図１】本発明のベルト締具の正面図
【図２】本発明のベルト締具の平面図
【図３】本発明のベルト締具の使用状態図
【発明を実施するための形態】
【００１７】
以下本発明を図面に基づいて説明する。図１及び図２は本発明のベルト締具を示すものであって、１は締具本体であり、図面の例においてはラチェット式の締具が使用されている。
【００１８】
すなわち締具本体１は、本体２と操作レバー３とを支軸４により回動自在に支持されており、操作レバー３を本体２に対して往復回動せしめることにより、前記支軸４に固定されたラチェット５の作用により支軸４が回転せしめられるようになっている。
【００１９】
而して前記本体２の後端にはベルト軸６が取り付けられており、当該ベルト軸６にベルト７が掛け回されてその端末が縫合されている。そしてそのベルト７はさらに、締具本体１の後方に設けられた第一のフック８の、フック金具９に取り付けられたベルト軸１０に掛けまわされ、さらに前記ベルト７の端末に三重に縫合されており、ここまでの部分が第一のベルト７ａを構成している。
【００２０】
そしてそのベルト７は前記三重に縫合された第一のベルト７ａから、前記締具本体１の下を通って締具本体１の前方に至り、締具本体１の前方に設けられた第二のフック１１の、フック金具１２に設けられた第一ベルト取付部１３に巻き掛けられて折り返され、前記締具本体１の支軸４に巻回され、第二のベルト７ｂを構成している。
【００２１】
而してベルト７の端末部７ｃを引っ張って引き締めておいて、前記操作レバー３を前記本体２に対して往復回動せしめることにより、前記支軸４に固定されたラチェット５の作用により支軸４が回転せしめられ、その回転により支軸４に巻回された第二のベルト７ｂが巻き締められ、第一のベルト７ａ及び第二のベルト７ｂを通じてベルト７が強く引き締められるのである。
【００２２】
本発明においては、前記第二のフック１１のフック金具１２に前記第一ベルト取付部１３と平行の第二ベルト取付部１４が設けられており、当該第二ベルト取付部１４に分岐ベルト１５の一端が取り付けられ、当該分岐ベルト１５の他端には、前記第二のフック１１に引っ掛けることができるループ１６が形成されている。
【００２３】
而して本発明を使用するには、図３に示すように、第一のフック８を積荷を搭載した船舶などの固定具１７に引っ掛け、分岐ベルト１５を積荷の適宜の固定部分１８に迂回させてループ１６を第二のフック１１に引っ掛ける。
【００２４】
この状態でベルト７の端末部７ｃを引っ張って引き締めておいて、締具本体１の操作レバー３を本体２に対して往復回動せしめることにより、前記ラチェット５の作用により支軸４が回転し、第二のベルト７ｂが強く引き締められ、積荷が船舶などに対してしっかりと固定されるのである。
【００２５】
また本発明によれば、図面に示すように第二のベルト７ｂを二重にして十分な強度を保持しつつ、当該長さ調節可能な第二のベルト７ｂ側に分岐ベルト１５を設けることが可能であり、不用意に積荷に締具本体１が当たって積荷を傷つける恐れがない。
【００２６】
また本発明においては、分岐ベルト１５をフック金具１２に対して着脱可能とすることにより、第二のフック１１を直接積荷に引っ掛けることができるときには、分岐ベルト１５を取り外して邪魔にならないようにすることができる。
【００２７】
ところで以上の説明においては、締具本体１としてラチェット式の締具が使用されているが、かかる構造に限らず、前記実開昭５２−２０４８７号公報などに示されるワンタッチ式の締具を適用することもできる。
【００２８】
また図面の例においては、分岐ベルト１５は両端部にループを設け、一方を第二ベルト取付部１４に取り付け、他方を第二のフック１１に対する引っ掛け部としてのループ１６としているが、ベルトの両端を単純に縫合して接続したものを分岐ベルト１５とし、当該分岐ベルト１５を第二ベルト取付部１４に掛け回したものであってもよい。
【００２９】
また本発明においてベルトと称するのは、図面に示すように扁平なベルト状のものに限らず、ロープやチェーンなどの強靭な紐状のものであってもよい。
【符号の説明】
【００３０】
１  締具本体
２  本体
３  操作レバー
４  支軸
５  ラチェット
７  ベルト
７ａ  第一のベルト
７ｂ  第二のベルト
８  第一のフック
１１  第二のフック
１２  フック金具
１３  第一ベルト取付部
１４  第二ベルト取付部
１５  分岐ベルト
１６  ループ
【図１】
2019203562.tif 000003
【図２】
2019203562.tif 000004
【図３】
2019203562.tif 000005